(57)【要約】  電子機器は、振動を発生させる振動発生部と、振幅及び周波数を示す情報を含む第１の振動情報に基づいて振動発生部に振動を発生させる第１のモードと、振幅及び周波数を示す情報を含む第２の振動情報に基づいて振動発生部に振動を発生させる第２のモードとを切り替える切り替え部とを有し、第２の振動情報は、第１の振動情報のうち所定の周波数帯域の振幅を小さくしたデータである。
2015083691.tif 000002
【特許請求の範囲】
【請求項１】
振動を発生させる振動発生部と、
振幅及び周波数を示す情報を含む第１の振動情報に基づいて前記振動発生部に振動を発生させる第１のモードと、振幅及び周波数を示す情報を含む第２の振動情報に基づいて前記振動発生部に振動を発生させる第２のモードとを切り替える切り替え部と
を有し、
前記第２の振動情報は、前記第１の振動情報のうち所定の周波数帯域の振幅を小さくしたデータであること
を特徴とする電子機器。
【請求項２】
前記第２の振動情報は、前記第１の振動情報のうち前記所定の周波数帯域の振幅をゼロにしたデータである請求項１に記載の電子機器。
【請求項３】
前記所定の周波数帯域は、等ラウドネス曲線に基づいて決定されている請求項１又は請求項２に記載の電子機器。
【請求項４】
前記第１の振動情報を取得する振動情報取得部と、
前記振動情報取得部が取得した前記第１の振動情報をフィルタリングして、前記第２の振動情報を生成するフィルタ部と
を有する請求項１から請求項３のいずれか一項に記載の電子機器。
【請求項５】
前記第１の振動情報と、前記第２の振動情報とを、他装置から取得する取得部を有する請求項１から請求項３のいずれか一項に記載の電子機器。
【請求項６】
接続された機器に音声信号を出力する音声出力端子と、
前記音声出力端子に機器が接続されていないときに、前記音声信号に応じた音声を出力する音声出力部と、
前記音声出力端子に機器が接続されていないときは、前記切り替え部に第１のモードを指示し、前記音声出力端子に機器が接続されているときは、前記切り替え部に第２のモードを指示する切替制御部と
を有する請求項１から請求項５のいずれか一項に記載の電子機器。
【請求項７】
振幅及び周波数を示す情報を含む第１の振動情報を取得する振動情報取得部と、
前記振動情報取得部が取得した前記第１の振動情報のうち所定の周波数帯域の振幅を小さくして、第２の振動情報を生成するフィルタ部と
を有する振動情報生成装置。
【発明の詳細な説明】
【技術分野】
【０００１】
本発明は、電子機器、および振動情報生成装置に関する。
本願は、２０１３年１２月２日に出願された日本国特願２０１３−２４９２３２号に基づき優先権を主張し、その内容をここに援用する。
【背景技術】
【０００２】
従来、触覚フィードバックを生じさせるために、タッチパネルを振動させる電子機器がある。タッチパネルを振動させると、該振動により音が発生するが、ユーザがこの音に違和感を覚えることがある。そのため、触覚フィードバックを生じさせるための振動よりも、高い周波数でタッチパネルを振動させることで音を発生させ、触覚フィードバックのための振動による音を目立たなくさせるものもある（例えば、特許文献１）。
【先行技術文献】
【特許文献】
【０００３】
【特許文献１】特開２００８−１３００５５号公報
【発明の概要】
【発明が解決しようとする課題】
【０００４】
しかしながら、従来の電子機器においては、触覚フィードバックのための振動による音に加えて、該音を目立たなくさせるための音を発生させるため、ユーザ以外の周囲への音漏れが発生してしまうという問題がある。【０００５】
本発明に係る態様は、振動を発生させたときの周囲への音漏れを抑えることができる電子機器、および振動情報生成装置を提供することを目的とする。
【課題を解決するための手段】
【０００６】
本発明に係る一態様の電子機器は、振動を発生させる振動発生部と、振幅及び周波数を示す情報を含む第１の振動情報に基づいて前記振動発生部に振動を発生させる第１のモードと、振幅及び周波数を示す情報を含む第２の振動情報に基づいて前記振動発生部に振動を発生させる第２のモードとを切り替える切り替え部とを有し、前記第２の振動情報は、前記第１の振動情報のうち所定の周波数帯域の振幅を小さくしたデータである。
【発明の効果】
【０００７】
本発明に係る態様によれば、振動を発生させたときの周囲への音漏れを抑えることができる。
【図面の簡単な説明】
【０００８】
【図１Ａ】本発明の第１の実施形態による電子機器１０の外観構成を示す外観図である。
【図１Ｂ】本発明の第１の実施形態による電子機器１０の外観構成を示す外観図である。
【図２】同実施形態における電子機器１０の構成を示す概略ブロック図である。
【図３】同実施形態におけるフィルタ部１０４の周波数特性を示すグラフである。
【図４】最小可聴値の等ラウドネス曲線を示すグラフである。
【図５】皮膚にある触覚器の感度特性と、ボイスコイルモータの出力特性の概略とを示すグラフである。
【図６】本発明の第２の実施形態によるコンテンツ再生システムの構成を示す概略ブロック図である。
【図７】同実施形態におけるコンテンツ生成装置３０の構成を示す概略ブロック図である。
【図８】同実施形態における電子機器１０ａの構成を示す概略ブロック図である。
【発明を実施するための形態】
【０００９】
［第１の実施形態］
以下、図面を参照して、本発明の第１の実施形態について説明する。図１Ａおよび１Ｂは、本発明の第１の実施形態による電子機器１０の外観構成を示す外観図である。以下、本実施形態において、ＸＹＺ直交座標系を用いて電子機器１０の構成を説明する。ＸＹＺ直交座標系は、電子機器１０を基準とした座標系である。ＸＹＺ直交座標系において、電子機器１０の各構成要素の積層方向をＺ方向とする。また、Ｚ方向に直交する平面をＸＹ平面とし、ＸＹ平面において直交する方向をそれぞれＸ方向及びＹ方向とする。
【００１０】
電子機器１０は、例えば、Ｚ方向視で略矩形の形状を有し、タッチパネル１１、本体部１２、背面カバー１３がＺ方向に積層された構成となっている。図１Ａは、電子機器１０をタッチパネル１１側から見た図であり、図１Ｂは、電子機器１０を背面カバー１３側から見た図である。図１Ｂに示すように、電子機器１０の背面カバー１３側には、撮像部１４が設けられている。また、電子機器１０の側面には、音声出力端子１５が設けられている。音声出力端子１５は、ヘッドフォンなどの音声出力機器を接続するフォーンジャックなどの接続端子である。
【００１１】
図２は、電子機器１０の構成を示す概略ブロック図である。電子機器１０は、振動データ記憶部１０１、振動再生部１０２、切り替え部１０３、フィルタ部１０４、切り替え部１０５、振動発生部１０６、音声データ記憶部１０７、音声再生部１０８、切り替え部１０９、音声出力部１１０、再生指示部１１１、切替制御部１１２、タッチパネル１１、音声出力端子１５を含んで構成される。振動データ記憶部１０１は、振動の振幅及び周波数を示す情報を含む振動データを記憶する。振動再生部１０２（振動情報取得部）は、再生指示部１１１から指定された振動データを振動データ記憶部１０１から読み出し、該振動データが表す振動を発生させるための振動信号（第１の振動情報）を生成する。なお、振動データは、例えば、物体Ａの表面を、物体Ｂで擦ったときの物体Ｂの物体Ａの表面に垂直な方向の変位を記録したデータである。振動データは、ＰＣＭ（Pulse Code Modulation）形式のように、サンプリング値が時系列に並んだデータあってもよいし、ＡＡＣ（Advanced Audio Coding）などのように、符号化されたデータであってもよい。
【００１２】
切り替え部１０３は、切替制御部１１２からの指示に従い、振動再生部１０２が生成した振動信号（第２の振動情報）を、フィルタ部１０４または切り替え部１０５に入力する。フィルタ部１０４は、切り替え部１０３から入力された振動信号をフィルタリングし、フィルタリングした振動信号を切り替え部１０５に入力する。フィルタ部１０４におけるフィルタリングの特性は、所定の周波数帯域の振幅を小さくする特性である。具体的には、等ラウドネス曲線のうち、最小可聴値（ｔｈｒｅｓｈｏｌｄ）が低い値となっている１ＫＨｚから３ＫＨｚより高い周波数は、振幅を小さくする特性となっている。なお、フィルタリングの特性は、所定の周波数帯域の振幅をゼロにする特性であってもよい。また、この特性の具体例については後述する。
【００１３】
切り替え部１０５は、切替制御部１１２からの指示に従い、フィルタ部１０４から入力された振動信号、または切り替え部１０３から入力された振動信号を、振動発生部１０６に入力する。振動発生部１０６は、切り替え部１０５から入力された振動信号に応じた振動を発生させるボイスコイルモータ（Voice Coil Motor；ＶＣＭ）である。振動発生部１０６が発生させた振動は、背面カバー１３を介して、電子機器１０を把持しているユーザに伝えられる。なお、振動発生部１０６は、ピエゾ素子など、その他の素子により、振動信号に応じた振動を発生させるようにしてもよい。
【００１４】
音声データ記憶部１０７は、音声の波形を表すデータである音声データを記憶する。なお、音声データは、当該音声データと同時に再生する振動データが、例えば、物体Ａの表面を、物体Ｂで擦ったときのデータであるときは、該擦ったときに発生した音を記録したデータである。音声再生部１０８は、再生指示部１１１から指定された音声データを音声データ記憶部１０７から読み出し、該音声データが表す音声を発生させるための音声信号を生成する。音声再生部１０８は、生成した音声信号を、切り替え部１０９に入力する。
切り替え部１０９は、切替制御部１１２からの指示に従い、入力された音声信号を、音声出力部１１０または音声出力端子１５に入力する。音声出力部１１０は、入力された音声信号に応じた音声を出力するスピーカである。なお、音声出力部１１０は、本体部１２内に設けられている。
【００１５】
音声出力端子１５は、切り替え部１０９から入力された音声信号を、接続されている機器に入力する。また、音声出力端子１５は、音声出力機器が接続されているときは、音声出力機器が接続されていることを切替制御部１１２に通知する。切替制御部１１２は、音声出力端子１５からの通知に応じて、通常モード（第１のモード）か、サイレントモード（第２のモード）かを判定する。
【００１６】
切替制御部１１２は、通常モードと判定したときは、フィルタリングされていない振動信号に応じた振動を発生させ、かつ、音声出力部１１０から音声を出力するように、切り替え部１０３、１０５、１０９に対して以下のように指示する。すなわち、切り替え部１０３には、振動信号を切り替え部１０５に入力するように、切り替え部１０５には、切り替え部１０３から入力された振動信号を振動発生部１０６に入力するように、切り替え部１０９には、音声信号を音声出力部１１０に入力するように指示する。
【００１７】
また、切替制御部１１２は、サイレントモードと判定したときは、フィルタリングされた振動信号に応じた振動を発生させ、かつ、音声出力端子１５に接続されている音声出力機器から音声を出力するように、切り替え部１０３、１０５、１０９に対して以下のように指示する。すなわち、切り替え部１０３には、振動信号をフィルタ部１０４に入力するように、切り替え部１０５には、フィルタ部１０４から入力された振動信号を振動発生部１０６に入力するように、切り替え部１０９には、音声信号を音声出力端子１５に入力するように指示する。
【００１８】
再生指示部１１１は、例えば、タッチパネルにコンテンツの選択画面を表示させる。再生指示部１１１は、該選択画面に対して、ユーザがタッチパネル１１を用いて指定したコンテンツの振動データの再生を振動再生部１０２に指示し、該コンテンツの音声データの再生を音声再生部１０８に指示する。
【００１９】
図３は、フィルタ部１０４の周波数特性を示すグラフである。図３において、横軸は周波数［Ｈｚ］、縦軸はレスポンス［ｄＢ］である。図３に示すように、フィルタ部１０４の特性は、１５００Ｈｚ以上が−４０ｄＢ以下となっている。すなわち、フィルタ部１０４は、１５００Ｈｚ以上を抑圧するローパスフィルタである。
【００２０】
図４は、最小可聴値の等ラウドネス曲線を示すグラフである。図４において、横軸は、周波数［Ｈｚ］であり、縦軸は、音圧レベル［ｄＢ  ＳＰＬ］である。図４は、最小可聴値の等ラウドネス曲線であるので、音圧レベルの値が小さいほど、感度が良い。図４に示すように、人間の耳は、１ＫＨｚ〜６ＫＨｚの感度が良く、特に３ＫＨｚ付近にピークがある。
【００２１】
一方、図５は、皮膚にある触覚器の感度特性と、ボイスコイルモータの出力特性の概略とを示すグラフである。図５において、横軸は、周波数［Ｈｚ］であり、縦軸は、振幅［μｍ］である。グラフｐは、パチニ小体（Pacinian corpuscle）の感度特性であり、グラフｍｉは、マイスナー小体（Meissner corpuscle）感度特性であり、グラフｍｋは、メルケル盤（Merkel's disc）の感度特性である。なお、グラフｐ、ｍｉ、ｍｋにおける破線は、推定値である。このように、触覚器は、２００Ｈｚ付近で最も感度が良いが、それ以上では、急激に感度が低下する。また、グラフｖは、ボイスコイルモータの出力特性であり、１００Ｈｚ付近にピークがある。
【００２２】
図３に戻って、フィルタ部１０４は、２００Ｈｚ、すなわち触覚器の感度が最も良い周波数から低周波側は通過させている。さらに、フィルタ部１０４は、耳の感度が良く、かつ、ボイスコイルモータの出力が低い１５００Ｈｚ付近から高周波側は抑圧している。このため、サイレントモードにおいて、電子機器１０を把持している指などが感じる振動と、通常モードにおいて感じる振動との違いが抑えられる。かつ、該振動を発生させたときの周囲への音漏れの、人間が感じる大きさ（ラウドネス）を抑えることができる。
【００２３】
このように、電子機器１０は、振動発生部１０６、切り替え部１０３、１０５を有する。振動発生部１０６は、振動を発生させる。切り替え部１０３、１０５は、振幅及び周波数を示す情報を含む第１の振動信号に応じた振動を振動発生部１０６に発生させる通常モードと、第２の振動信号に応じた振動を振動発生部１０６に発生させるサイレントモードとを切り替える。そして、第２の振動信号は、第１の振動信号のうち所定の周波数帯域の振幅を小さくしたデータである。
このため、振動を発生させたときの周囲への音漏れを抑えることができる。
【００２４】
さらに、所定の周波数帯域は、等ラウドネス曲線に基づいて決定されている。
このため、第１の振動信号を用いたときに、電子機器１０を把持している指などが感じる振動と、第２の振動信号を用いたときに、電子機器１０を把持している指などが感じる振動との差を抑えることができる。
【００２５】
さらに、電子機器１０は、振動再生部１０２と、フィルタ部１０４とを有する。振動再生部１０２は、第１の振動信号を取得する。フィルタ部１０４は、振動再生部１０２が取得した第１の振動信号を、等ラウドネス曲線に基づいた特性でフィルタリングして、第２の振動信号を生成する。
このため、第１の振動信号が取得できれば、第２の振動信号を生成し、振動を発生させたときの周囲への音漏れを抑えることができる。
【００２６】
さらに、電子機器１０は、音声出力端子１５、音声出力部１１０、切替制御部１１２を有する。音声出力端子１５は、接続された機器に音声信号を出力する。音声出力部１１０は、音声出力端子１５に機器が接続されていないときに、音声信号に応じた音声を出力する。切替制御部１１２は、音声出力端子１５に機器が接続されていないときは、切り替え部１０３、１０５に通常モードを指示し、音声出力端子１５に機器が接続されているときは、切り替え部１０３、１０５にサイレントモードを指示する。
このため、音声出力端子１５に、周囲に再生した音が漏れないように、ヘッドフォンなどを接続すると、サイレントモードとなり、振動発生時の周囲への音漏れを抑えることができる。
【００２７】
［第２の実施形態］
以下、図面を参照して、本発明の第２の実施形態について説明する。図６は、本発明の第２の実施形態によるコンテンツ再生システムの構成を示す概略ブロック図である。コンテンツ再生システムは、電子機器１０ａ、ネットワーク２０、コンテンツ生成装置３０を含んで構成される。本実施形態においても、電子機器１０ａは、サイレントモードの際は、フィルタリングされた振動信号に応じた振動を発生させるが、電子機器１０ａは、フィルタリングされた振動信号を表す振動データを予め記憶している。
【００２８】
コンテンツ生成装置３０（振動情報生成装置）は、振動データと、音声データとを含むコンテンツを記憶する。コンテンツ生成装置３０は、通常モード用の振動データ（第１振動データ）に対してフィルタリングを行い、サイレントモード用の振動データ（第２振動データ）を生成する。コンテンツ生成装置３０は、電子機器１０ａからコンテンツを要求されると、該コンテンツを配信するが、このとき、振動データについては、第１振動データと、第２振動データとの両方を配信する。
【００２９】
ネットワーク２０は、コンテンツ生成装置３０と、電子機器１０ａとを通信可能に接続するインターネットなどのネットワークである。電子機器１０ａは、コンテンツ生成装置３０が配信したコンテンツを受信し、記憶する。また、電子機器１０ａは、受信し、記憶したコンテンツを再生する。なお、電子機器１０ａは、図１Ａおよび１Ｂに示した電子機器１０と同様の外観を有する。なお、コンテンツ生成装置３０は、ネットワーク２０ではなく、フラッシュメモリ、ＤＶＤ（Digital Versatile Disc）などの可搬記憶媒体、あるいは、放送波などの片方向の通信路を介して、電子機器１０にコンテンツを伝送してもよい。
【００３０】
図７は、コンテンツ生成装置３０の構成を示す概略ブロック図である。コンテンツ生成装置３０は、通信部３０１、振動データ記憶部３０２、音声データ記憶部３０３、フィルタ部３０４を含んで構成される。振動データ記憶部３０２は、第１振動データ記憶部３２１、第２振動データ記憶部３２２を含んで構成される。通信部３０１は、ネットワーク２０を介して、電子機器１０ａと通信する。通信部３０１は、電子機器１０ａからコンテンツの要求を受信すると、該コンテンツの振動データと音声データとを、振動データ記憶部３０２および音声データ記憶部３０３から読み出し、該要求に対する応答として電子機器１０ａに配信する。
【００３１】
第１振動データ記憶部３２１（振動情報取得部）は、通常モード用の振動データである第１振動データ（第１の振動情報）を記憶する。第２振動データ記憶部３２２は、サイレント用の振動データである第２振動データ（第２の振動情報）を記憶する。音声データ記憶部３０３は、音声データを記憶する。フィルタ部３０４は、図２のフィルタ部１０４と同様のフィルタ特性を有するフィルタである。フィルタ部３０４は、第１振動データ記憶部３２１が記憶する第１振動データをフィルタリングして、第２振動データを生成する。
フィルタ部３０４は、生成した第２振動データを、第２振動データ記憶部３２２に記憶させる。
【００３２】
図８は、電子機器１０ａの構成を示す概略ブロック図である。同図において、図２の各部に対応する部分には同一の符号（１１、１５、１０２、１０６〜１１１）を付し、説明を省略する。電子機器１０ａは、タッチパネル１１、音声出力端子１５、振動データ記憶部１０１ａ、振動再生部１０２、振動発生部１０６、音声データ記憶部１０７、音声再生部１０８、切り替え部１０９、音声出力部１１０、再生指示部１１１、切替制御部１１２ａ、通信部１１３、切り替え部１１４を含んで構成される。振動データ記憶部１０１ａは、第１振動データ記憶部１１５、第２振動データ記憶部１１６を含んで構成される。
【００３３】
通信部１１３（取得部）は、ネットワーク２０を介して、コンテンツ生成装置３０と通信する。通信部１１３は、コンテンツ生成装置３０に対してコンテンツを要求する。通信部１１３は、該要求に対する応答として配信されたコンテンツを受信する。通信部１１３は、受信したコンテンツのうち、第１振動データは、第１振動データ記憶部１１５に記憶させ、第２振動データは、第２振動データ記憶部１１６に記憶させ、音声データは、音声データ記憶部１０７に記憶させる。
【００３４】
第１振動データ記憶部１１５は、通常モード用の振動データである第１振動データを記憶する。第２振動データ記憶部１１６は、サイレントモード用の振動データである第２振動データを記憶する。切り替え部１１４は、切替制御部１１２ａからの指示に従い、第１振動データ記憶部１１５が記憶する第１振動データ、または第２振動データ記憶部１１６が記憶する第２振動データを読み出して、振動再生部１０２に入力する。振動再生部１０２は、図２の振動再生部１０２と同様であるが、生成した振動信号を振動発生部１０６に入力する。
【００３５】
切替制御部１１２ａは、図２の切替制御部１１２と同様に、通常モードとサイレントモードとの判定を行う。通常モードと判定したときは、振動発生部１０６が第１振動データに従って振動を発生させ、かつ、音声出力部１１０が音声を出力するように、切り替え部１０９、１１４に対して以下のように指示する。すなわち、切り替え部１１４には、第１振動データを第１振動データ記憶部１１５から読み出して、振動再生部１０２に入力するように、切り替え部１０９には、音声信号を音声出力部１１０に入力するように指示する。
【００３６】
また、サイレントモードと判定したときは、振動発生部１０６が第２振動データに従って振動を発生させ、かつ、音声出力端子１５に接続されている音声出力機器から音声を出力するように、切り替え部１０９、１１４に対して以下のように指示する。すなわち、切り替え部１１４には、第２振動データを第２振動データ記憶部１１６から読み出して、振動再生部１０２に入力するように、切り替え部１０９には、音声信号を音声出力端子１５に入力するように指示する。
【００３７】
本実施形態においても、サイレントモードにおいて発生させる振動は、第１の実施形態と同様のフィルタリングをした振動データに応じた振動である。このため、サイレントモードにおいて、電子機器１０を把持している指などが感じる振動と、通常モードにおいて感じる振動との違いが抑えられる。かつ、該振動を発生させたときの周囲への音漏れの、人間が感じる大きさ（ラウドネス）を抑えることができる。
【００３８】
また、電子機器１０ａは、振動発生部１０６、切り替え部１１４を有する。振動発生部１０６は、振動を発生させる。切り替え部１１４は、振動の波形を表す第１振動データに応じた振動を振動発生部１０６に発生させる通常モードと、第２振動データに応じた振動を振動発生部１０６に発生させるサイレントモードとを切り替える。そして、第２振動データは、第１の振動データを、等ラウドネス曲線に基づいた特性でフィルタリングしたデータである。
このため、電子機器１０ａも、電子機器１０と同様に、振動を発生させたときの周囲への音漏れを抑えることができる。
【００３９】
さらに、電子機器１０ａは、第１の振動情報と、第２の振動情報とを、他装置から取得する通信部１１３を有する。
このため、フィルタを有していなくても、振動を発生させたときの周囲への音漏れを抑えることができる。
【００４０】
また、コンテンツ生成装置３０は、第１振動データを取得する第１振動データ記憶部１１５と、第１振動データ記憶部１１５が取得した第１振動データを、等ラウドネス曲線に基づいた特性でフィルタリングして、第２振動データを生成するフィルタ部３０４とを有する。
これにより、電子機器１０ａにおいて、振動を発生させたときの、周囲への音漏れを抑えることができる。
【００４１】
なお、上述の各実施形態において、コンテンツは、振動データと、音声データとを含むとして説明したが、動画像データ、静止画像データなども含んでいてもよい。その場合、電子機器１０、１０ａは、画像再生部を有し、動画像データ、静止画像データを再生して、タッチパネル１１に表示する。
また、上述の各実施形態において、振動信号はデジタル信号であり、フィルタ部１０４は、デジタルフィルタであるが、振動信号はアナログ信号であってもよい。この場合、フィルタ部１０４は、アナログフィルタである。
【００４２】
また、上述の各実施形態において、通常モードと、サイレントモードとの判定は、音声出力端子１５に音声出力機器が接続されているか否かに基づいている。しかし、通常モードとするか、サイレントモードとするかを、ユーザが指定するようにしてもよい。この場合、ユーザがサイレントモードを指定し、かつ、音声出力端子１５に音声出力機器が接続されていないときは、音声データを再生させなくてもよい。
【００４３】
また、上述の各実施形態において、振動発生部１０６が発生させた振動は、背面カバー１３を介して、電子機器１０、１０ａを把持している指などに伝わるとして説明したが、タッチパネル１１を介して、タッチパネル１１に触れている指などに伝わるようにしてもよい。
【００４４】
また、図２における電子機器１０、図７におけるコンテンツ生成装置３０、図８における電子機器１０ａの機能を実現するためのプログラムをコンピュータ読み取り可能な記録媒体に記録して、この記録媒体に記録されたプログラムをコンピュータシステムに読み込ませ、実行することにより、各装置を実現するようにしてもよい。なお、ここでいう「コンピュータシステム」とは、ＯＳや周辺機器等のハードウェアを含むものとする。
【００４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４６】
また、上述した図２における電子機器１０、図７におけるコンテンツ生成装置３０、図８における電子機器１０ａの各機能ブロックは個別にチップ化してもよいし、一部、または全部を集積してチップ化してもよい。また、集積回路化の手法はＬＳＩに限らず、専用回路、または汎用プロセッサで実現しても良い。ハイブリッド、モノリシックのいずれでも良い。一部は、ハードウェアにより、一部はソフトウェアにより機能を実現させても良い。
また、半導体技術の進歩により、ＬＳＩに代替する集積回路化等の技術が出現した場合、当該技術による集積回路を用いることも可能である。
【００４７】
以上、本発明の実施形態を図面を参照して詳述してきたが、具体的な構成はこの実施形態に限られるものではなく、本発明の要旨を逸脱しない範囲の設計変更等も含まれる。
【符号の説明】
【００４８】
１０、１０ａ…電子機器
１１…タッチパネル
１２…本体部
１３…背面カバー
１４…撮像部
１５…音声出力端子
２０…ネットワーク
３０…コンテンツ生成装置
１０１、１０１ａ…振動データ記憶部
１０２…振動再生部
１０３、１０５、１０９、１１４…切り替え部
１０４…フィルタ部
１０６…振動発生部
１０７…音声データ記憶部
１０８…音声再生部
１１０…音声出力部
１１１…再生指示部
１１２、１１２ａ…切替制御部
１１３…通信部
１１５…第１振動データ記憶部
１１６…第２振動データ記憶部
３０１…通信部
３０２…振動データ記憶部
３０３…音声データ記憶部
３０４…フィルタ部
【図１Ａ】
2015083691.tif 000003
【図１Ｂ】
2015083691.tif 000004
【図２】
2015083691.tif 000005
【図３】
2015083691.tif 000006
【図４】
2015083691.tif 000007
【図５】
2015083691.tif 000008
【図６】
2015083691.tif 000009
【図７】
2015083691.tif 000010
【図８】
2015083691.tif 000011
【国際調査報告】
2015083691.tif 000012
2015083691.tif 000013
2015083691.tif 000014
2015083691.tif 000015